(57)【要約】      （修正有）【課題】サービス提供者が保有する記録媒体を当該サービスの利用者が柔軟に利用する。【解決手段】サービス提供者が利用者に貸し出す記憶媒体に当該サービス提供者の放送の録画および配信を行う部分とネットワークを通じて接続された他のサービス提供者の放送の録画および配信を行う部分を設けることにより、利用者が、貸し出された記憶媒体を柔軟に利用することができる。【選択図】図１
2005252799.tif 000002
【特許請求の範囲】
【請求項１】
放送局からの放送を受信するサービス提供者の放送受信装置と、
利用者の端末とネットワークを介して接続されたサービス提供者の端末と、
このサービス提供者の端末と前記放送受信装置との双方に接続された利用者貸し出し用の記録媒体と
を備え、
前記ネットワークには、他の放送局あるいは他のサービス提供者の放送受信装置が接続され、
前記サービス提供者の端末は、前記利用者の端末からの指示に基づいて前記記録媒体に、前記放送受信装置により受信された放送の録画および当該録画された放送の再生を行うと共に前記他の放送局からの放送あるいは前記他のサービス提供者の放送受信装置により受信された放送の録画および当該録画された放送の再生を行う手段を備えた
ことを特徴とする放送録画システム。
【請求項２】
利用者の端末とネットワークを介して接続され、
前記利用者の端末からの指示に基づいて記録媒体に、放送局からの放送を受信するサービス提供者の放送受信装置により受信された放送の録画および当該録画された放送の再生を行うと共に他の放送局からの放送あるいは他のサービス提供者の放送受信装置により受信された放送の録画および当該録画された放送の再生を行う手段を備えた
ことを特徴とするサービス提供者の端末。
【請求項３】
情報処理装置にインストールすることにより、その情報処理装置に、
利用者の端末とネットワークを介して接続され、
前記利用者の端末からの指示に基づいて記録媒体に、放送局からの放送を受信するサービス提供者の放送受信装置により受信された放送の録画および当該録画された放送の再生を行うと共に他の放送局からの放送あるいは他のサービス提供者の放送受信装置により受信された放送の録画および当該録画された放送の再生を行う機能を実現させる
ことを特徴とするプログラム。
【発明の詳細な説明】
【技術分野】
【０００１】
本発明は、複数の放送局からの放送を受信し、放送の受信者に対して一元的に前記複数の放送局からの放送を配信するシステムに利用する。特に、放送の受信者に貸し出す記録媒体の利用形態に関する。
【背景技術】
【０００２】
昨今では、従来からの放送局に加え、有料放送などを行う様々な放送局が新設されている。放送の受信者が、このような様々な放送を視聴するためには、様々な放送局と個別に受信契約を結び、また、様々な種類の受信機材を揃える必要がある。
【０００３】
このような受信者の不便を解消すべく、様々な放送を一元的に視聴できるサービス提供者が生まれた。このようなサービス提供者は、様々な放送局と受信契約を結び、また、様々な種類の受信機材を揃えることにより、様々な放送を受信可能とし、利用者には、あたかも一つの放送局が様々な放送を行っているかのような環境を提供する。
【０００４】
これにより、利用者は、当該サービス提供者との受信契約を結ぶだけで、様々な放送を受信でき、また、当該サービス提供者の放送を受信できる受信機材だけを用意すればよいという利便性を享受することができる。
【０００５】
さらに、このサービス提供者は、自装置内に記録媒体を設け、利用者の要求に応じて番組の録画および再生を利用者に代行して行うサービスも併せて行っている（例えば、特許文献１または２参照）。
【特許文献１】特開２００２−８４４８３号公報
【特許文献２】特開２００２−３００５６２号公報
【発明の開示】
【発明が解決しようとする課題】
【０００６】
上述したように、利用者の要求に応じて番組の録画および再生を利用者に代行して行うサービスは、利用者が録画機材および大容量の記録媒体を用意する必要がなく、利用者の利便性を向上させることができるサービスであるが、例えば、特許文献１または２に開示されているシステム構成では、当該記録媒体は、サービス提供者装置内にあり、当該サービス提供者が放送の配信を行っている番組の録画または再生に限定される。
【０００７】
しかし、放送局が新設されるペースは、年々増加の一途を辿り、一つのサービス提供者が扱い得る放送局数には自ずから限界がある。したがって、利用者の立場からすると、一つのサービス提供者の記録媒体を利用して、他のサービス提供者が放送を配信している番組までも録画または再生できることが望ましい。
【０００８】
サービス提供者の立場からすると、自装置内の記録媒体を利用して他のサービス提供者の放送の録画または再生が行われることは、一見すると望ましくないように思えるが、このような柔軟なサービスを実施することにより、自サービス提供者への加入者数が増えることが期待できるので、結果的に望ましい。
【０００９】
本発明は、このような背景に行われたものであって、サービス提供者が保有する記録媒体を当該サービスの利用者が柔軟に利用することができるシステムを提供することを目的とする。
【課題を解決するための手段】
【００１０】
本発明は、サービス提供者が利用者に貸し出す記録媒体を当該サービス提供者が放送の録画および配信を行う部分とは別に設けたことを特徴とする。
【００１１】
すなわち、本発明の第一の観点は、放送局からの放送を受信するサービス提供者の放送受信装置と、利用者の端末とネットワークを介して接続されたサービス提供者の端末と、このサービス提供者の端末と前記放送受信装置との双方に接続された利用者貸し出し用の記録媒体とを備え、前記ネットワークには他の放送局あるいは他のサービス提供者の放送受信装置が接続され、前記サービス提供者の端末は、前記利用者の端末からの指示に基づいて前記記録媒体に、前記放送受信装置により受信された放送の録画および当該録画された放送の再生を行うと共に前記他の放送局からの放送あるいは前記他のサービス提供者の放送受信装置により受信された放送の録画および当該録画された放送の再生を行う手段を備えたことを特徴とする放送録画システムである。
【００１２】
これにより利用者は、貸し出された記録媒体を自由に使用することができる。例えば、前記ネットワークはインターネットであり、インターネットを介して行われる放送を利用者は貸し出された記録媒体に録画して再生することができる。この際、当該放送は、当該記録媒体を貸し出しているサービス提供者によって配信されたものでなくてもよい。
【００１３】
本発明の第二の観点は、利用者の端末とネットワークを介して接続され、前記利用者の端末からの指示に基づいて記録媒体に、放送局からの放送を受信するサービス提供者の放送受信装置により受信された放送の録画および当該録画された放送の再生を行うと共に他の放送局からの放送あるいは他のサービス提供者の放送受信装置により受信された放送の録画および当該録画された放送の再生を行う手段を備えたことを特徴とするサービス提供者の端末である。
【００１４】
本発明の第三の観点は、情報処理装置にインストールすることにより、その情報処理装置に、利用者の端末とネットワークを介して接続され、前記利用者の端末からの指示に基づいて記録媒体に、放送局からの放送を受信するサービス提供者の放送受信装置により受信された放送の録画および当該録画された放送の再生を行うと共に他の放送局からの放送あるいは他のサービス提供者の放送受信装置により受信された放送の録画および当該録画された放送の再生を行う機能を実現させることを特徴とするプログラムである。
【００１５】
本発明のプログラムはフロッピィディスクやＣＤ−ＲＯＭ等の記録媒体（当該記録媒体と本発明の放送録画システムを構成する記録媒体とは異なるので区別するために以下では、当該記録媒体をプログラム記録媒体という）に記録されることにより、前記情報処理装置は、このプログラム記録媒体を用いて本発明のプログラムをインストールすることができる。あるいは、本発明のプログラムを保持するサーバからネットワークを介して直接前記情報処理装置に本発明のプログラムをインストールすることもできる。
【００１６】
これにより、汎用の情報処理装置を用いて、サービス提供者が保有する記録媒体を当該サービスの利用者が柔軟に利用することができるサービス提供者の端末を実現することができる。
【発明の効果】
【００１７】
本発明の最も主要な効果は、サービス提供者が保有する記録媒体を当該サービスの利用者が柔軟に利用することができるところにある。その理由は、サービス提供者の貸し出し用記録媒体がサービス提供者の放送受信装置とは別の外部に設けられているためである。
【００１８】
その他の効果としては、例えば、利用者は、利用者の放送局のエリアではなくサービス提供者が受信できるエリアの放送局の番組の録画ができる。その理由は、サービス提供者にある記録媒体を利用者に貸し出すためである。
【００１９】
あるいは、利用者は、放送局毎に異なる受信に必要な装置を取り揃える必要がないことにある。その理由は、サービス提供者が受信に必要な装置を取り揃えるためである。
【００２０】
あるいは、利用者は、２４時間いつでも放送の録画および再生（ダウンロード）ができることにある。その理由は、ネットワークにより放送の録画および再生（ダウンロード）の指示ができるためである。
【発明を実施するための最良の形態】
【００２１】
本発明実施例の放送録画システムの構成を図１を参照して説明する。図１は本実施例の放送録画システムの構成図である。
【００２２】
本実施例の放送録画システムは、図１に示すように、放送局１０からの放送を受信するサービス提供者の放送受信装置２０と、利用者の端末５０とネットワーク１００を介して接続されたサービス提供者の端末４０と、このサービス提供者の端末４０と放送受信装置２０との双方に接続された利用者貸し出し用の記録媒体３０とを備え、ネットワーク１００には他の放送局１２あるいは他のサービス提供者の放送受信装置２１が接続され、サービス提供者の端末４０は、利用者の端末５０からの指示に基づいて記録媒体３０に、放送受信装置２０により受信された放送の録画および当該録画された放送の再生を行うと共に他の放送局１２からの放送あるいは他のサービス提供者の放送受信装置２１により受信された放送の録画および当該録画された放送の再生を行う手段を備えたことを特徴とする。
【００２３】
また、本発明はプログラムとして実現することができる。すなわち、本発明は、情報処理装置にインストールすることにより、その情報処理装置に、利用者の端末５０とネットワーク１００を介して接続され、利用者の端末５０からの指示に基づいて記録媒体３０に、放送局１０からの放送を受信するサービス提供者の放送受信装置２０により受信された放送の録画および当該録画された放送の再生を行うと共に他の放送局１２からの放送あるいは他のサービス提供者の放送受信装置２１により受信された放送の録画および当該録画された放送の再生を行う機能を実現させることを特徴とするプログラムである。
【００２４】
このプログラムは、プロッピィディスクやＣＤ−ＲＯＭ等のプログラム記録媒体に記録されて情報処理装置にインストールされ、あるいは通信回線を介して情報処理装置にインストールされることにより当該情報処理装置に、サービス提供者の端末４０に相応する機能を実現させることができる。
【００２５】
以下では、本発明実施例をさらに詳細に説明する。
【００２６】
まず、本発明実施例の構成について図面を参照して詳細に説明する。図１を参照すると、本発明の実施例は、放送局１０と、サービス提供者の放送受信装置２０と、利用者に貸し出したハードディスク等の記録媒体３０と、サービス提供者の端末４０と、利用者の端末５０とから構成されている。さらに、ネットワーク１００には、他の放送局１２あるいは他のサービス提供者の放送受信装置２１が接続されている。サービス提供者の放送受信装置２０は放送局１０の放送番組を放送電波あるいは専用回線等を介して受信することができ、その放送番組利用者に貸し出したハードディスク等の記録媒体３０に録画することができる。
【００２７】
また、利用者の端末５０は、インターネット等のネットワーク１００とサービス提供者の端末４０とを介して、２４時間いつでも、サービス提供者の端末４０に録画時刻を指定した放送番組の録画、利用者の端末５０への放送番組の再生（ダウンロード）、放送番組の消去の指示を入力することにより、サービス提供者の端末４０が利用者に貸し出した記録媒体３０に利用者の端末５０からの指示を実行できるシステムを提供する。
【００２８】
図１の例では、利用者に貸し出した記録媒体３０は、サービス提供者の放送受信装置２０から配信される放送の録画を行う他に、ネットワーク１００にも接続され（破線）、ネットワーク１００を介して他のサービス提供者の放送受信装置２１から配信される放送および他の放送局１２からの放送を録画することができる。
【００２９】
次に、図１および図２を参照して本発明の実施例の動作について詳細に説明する。まず、利用者は利用者の端末５０よりサービス提供者のウェブサイトを通じてサービス提供者の端末４０へアクセスする（ステップＡ１）。次に、番組の録画を行う場合には、利用者は利用者の端末５０より時刻を指定した放送番組の録画の指示をサービス提供者の端末４０に対して行う（ステップＡ２）。さらに、サービス提供者の端末４０は、利用者の指示に基づいて、指定時刻に放送番組の録画の実行を利用者に貸し出した記録媒体３０に対して指示する（ステップＡ３）。以上の動作によって利用者に貸し出した記録媒体３０に放送番組の録画が行われる（ステップＡ４）。
【００３０】
次に、録画内容の再生（ダウンロード）を行う場合には、利用者は利用者の端末５０よりサービス提供者の端末４０に対して録画内容の再生（ダウンロード）指示を行う（ステップＡ５）。さらに、サービス提供者の端末４０は、利用者の指示に基づいて、録画内容の再生（ダウンロード）の実行を利用者に貸し出した記録媒体３０に対して指示する（ステップＡ６）。以上の動作によって利用者に貸し出した記録媒体３０からサービス提供者の端末４０を介して利用者の端末５０に録画内容の再生（ダウンロード）が行われる（ステップＡ７）。
【００３１】
次に、録画内容の消去を行う場合には、利用者は利用者の端末５０よりサービス提供者の端末４０に対して録画内容の消去の指示を行う（ステップＡ８）。さらに、サービス提供者の端末４０は、利用者の指示に基づいて、録画内容の消去の実行を利用者に貸し出した記録媒体３０に対して指示する（ステップＡ９）。以上の動作によって利用者に貸し出した記録媒体３０の録画内容の消去が行われる（ステップＡ１０）。
【００３２】
図２に示す手順は、図１に示す放送受信装置２０および２１から配信される放送番組あるいは他の放送局１２から放送される放送番組について同様に適用することができる。
【００３３】
次に、本発明の実施例の効果について説明する。本発明実施例の最も主要な効果は、サービス提供者が保有する記録媒体３０を当該サービスの利用者が柔軟に利用することができるところにある。その理由は、サービス提供者の貸し出し用記録媒体３０がサービス提供者の放送受信装置２０とは別の外部に設けられているためである。
【００３４】
その他の効果としては、利用者は利用者の放送局のエリアではなくサービス提供者が受信できるエリアの放送局の番組の録画ができる。また、利用者は、放送局毎に異なる受信に必要な装置を取り揃える必要が無くなる。また、利用者は、２４時間いつでも放送の録画および再生（ダウンロード）を行うことができる。
【産業上の利用可能性】
【００３５】
本発明によれば、サービス提供者が保有する記録媒体を当該サービスの利用者が柔軟に利用することができるので、サービス提供者は利用者の獲得に際し、この効果を宣伝することによって、多数の利用者を獲得することが期待できる。また、記録媒体の貸し出し料を徴収することにより、サービス提供者は、放送の配信サービスによる収入以外にも記録媒体の貸し出しによる収入を得ることができる。
【図面の簡単な説明】
【００３６】
【図１】本実施例の放送録画システムの構成図。
【図２】本実施例の放送録画手順を示すフローチャート。
【符号の説明】
【００３７】
１０  放送局
１１、１２  他の放送局
２０  サービス提供者の放送受信装置
２１  他のサービス提供者の放送受信装置
３０  記録媒体
４０  サービス提供者の端末
５０  利用者の端末
１００  ネットワーク
【図１】
2005252799.tif 000003
【図２】
2005252799.tif 000004